(57)【特許請求の範囲】
【請求項１】
カードに記憶された個人情報を読み取る個人情報読取手段と、
原稿を読み取る原稿読取手段と、
前記個人情報読取手段で読み取った個人情報と前記原稿読取手段で読み取った原稿画像情報とを合成して出力する情報合成手段と、
前記原稿読取手段で読み取った原稿画像情報中に個人情報が存在する場合には、読み取った原稿画像情報の出力を禁止する出力禁止手段と、
を備えたことを特徴とする画像処理装置。
【請求項２】
暗証番号入力装置で入力された暗証番号に応じた個人情報を特定する個人情報特定手段と、
原稿を読み取る原稿読取手段と、
前記個人情報特定手段で特定した個人情報と前記原稿読取手段で読み取った原稿画像情報とを合成して出力する情報合成手段と、
前記原稿読取手段で読み取った原稿画像情報中に個人情報が存在する場合には、読み取った原稿画像情報の出力を禁止する出力禁止手段と、
を備えたことを特徴とする画像処理装置。
【請求項３】
請求項１または請求項２記載の画像処理装置において、前記情報合成手段は、前記個人情報を視認可能な態様で前記原稿画像情報と合成することを特徴とする画像処理装置。
【発明の詳細な説明】
【０００１】
【発明の属する技術分野】
本発明は、画像情報に機密管理のための情報を付加して出力することができる画像処理装置に関するものである。
【０００２】
【従来の技術】
従来より、画像形成装置において、原稿を複写したり、印字したりする際に、機密管理のためのナンバリング印字が行われている。図６（Ａ）は、１部目の画像を出力する際に、濃度の低い番号「１」をナンバリング印字を行なって出力した画像である。図６（Ｂ）は、２部目の画像を出力する際に、濃度の低い番号「２」をナンバリング印字を行なって出力した画像である。濃度の低い番号「１」と「２」は「Ａ」、「Ｂ」、「Ｃ」という文字画像の背景全面に印字する。また、図示はしてないが、３部目以降も同様にして、「３」以降の数字がナンバリング印字される。背景全面にナンバリング印字するのは、一部分にだけ印字するとその部分を修正され、出力されてしまう恐れがあるためである。
機密管理のためにナンバリング印字を行った複写禁止文書やマル秘文書等を会議資料として使用する場合、配布した資料を会議終了後に回収する際に、どの番号の資料が回収されていないかを把握することができるため、全資料を確実に回収することができる。また、ナンバリング印字がされていれば、それが機密を要する重要な資料であることが一目で判るので、配布および回収時にも取り扱い者に十分に注意を促すことができる。
【０００３】
【発明が解決しようとする課題】
上述したように、従来から印字物の機密管理を図る目的で画像の背景全面にナンバリング印字が行われているが、印字された番号とその資料が配布される対象者との対応付けを記録して置かないと、全資料が回収されなかった場合また配布した資料からコピーが取られていた場合に、誰に渡された資料が回収されなかったのか、また、誰に渡した資料からコピーが取られたかを直ちに判断できず、機密管理の信頼性に問題があった。
本発明の課題は、このような問題を解決することにあり、信頼性の高い機密管理を行うことが可能な画像処理装置を提供することにある。
【０００４】
【課題を解決するための手段】
前記課題を解決するために、請求項１に記載の発明は、カードに記憶された個人情報を読み取る個人情報読取手段と、原稿を読み取る原稿読取手段と、前記個人情報読取手段で読み取った個人情報と前記原稿読取手段で読み取った原稿画像情報とを合成して出力する情報合成手段と、前記原稿読取手段で読み取った原稿画像情報中に個人情報が存在する場合には、読み取った原稿画像情報の出力を禁止する出力禁止手段と、を備えたことを特徴とする。
請求項２に記載の発明は、暗証番号入力装置で入力された暗証番号に応じた個人情報を特定する個人情報特定手段と、原稿を読み取る原稿読取手段と、前記個人情報特定手段で特定した個人情報と前記原稿読取手段で読み取った原稿画像情報とを合成して出力する情報合成手段と、前記原稿読取手段で読み取った原稿画像情報中に個人情報が存在する場合には、読み取った原稿画像情報の出力を禁止する出力禁止手段と、を備えたことを特徴とする。
請求項３に記載の発明は、請求項１または請求項２記載の画像処理装置において、前記情報合成手段は、前記個人情報を視認可能な態様で前記原稿画像情報と合成することを特徴とする。
【０００５】
【発明の実施の形態】
以下、本発明の実施の形態を添付図面に基づいて詳細に説明する。
図１は、本発明の第１の実施の形態に係る画像処理装置を示すブロック図である。画像処理装置１０にはカードリーダ２１が接続されている。このカードリーダ２１は、画像処理装置１０を使用してよい者を認識できるようになっている。
画像処理装置１０は、カード２３を読み取るカードリーダ２１からの読み取り信号を受けて許可使用者の個人情報を解読するカード情報解読手段であるカード情報解読部１と、入力された原稿２４の画像情報を解読する画像情報解読手段である画像情報解読部２と、カード情報解読部１で解読した個人情報と画像情報解読部２で解読した画像情報を合成して出力する第１の情報合成手段である第１の情報合成部３と、画像情報解読部２からの画像情報の中に個人情報が存在する場合に第１の情報合成部３の画像情報を外部に出力する出力禁止手段である出力禁止部６とを備えている。
次に機密管理処理動作を説明する。画像処理装置１０の使用者は、自身のカード２３をカードリーダ２１に読み取らせる。カードリーダ２１からの読み取り信号は、画像処理装置１０のカード情報解読部１で解読され、カード２３の個人情報（ここでは名字の山田）が認識される。
一方、図示しないスキャナで原稿２４が読み取られ、その情報が画像情報として画像処理装置１０の画像情報解読部２で解読される。なお、「画像情報を解読する」という表現は、「カード情報を解読する」という表現に対応させたものであり、実際には画像処理装置１０の内部ではスキャナで読み取られた画像データに周知の各種の画像処理も施されることを意味する。
さらに、第１の情報合成部３では、カード情報解読部１で解読された「山田」という名字と、画像情報解読部２で解読された原稿４の文字「Ａ」を合成処理し、図示しないプリンタを介して機密印字物２５として出力する。機密印字物２５は原稿Ａを印字したものであることは言うまでもないが、図に示すように、その背景全面にカード情報解読部１で解読された「山田」も印字されている。この印字は「Ａ」が見にくくならないように濃度の低いものとする。
このことにより、この機密印字物２５は、山田氏が印字操作を行った結果得られたものであることが第三者に認識される。機密を要する原稿２４の機密印字物２５が配布され、あるいは、機密印字物２５を取り扱う各人が自分の分の機密印字物２５をこのようにして得るようにすれば、ナンバリングの場合と違って各人の機密印字物２５が回収済みであるか否か、また、誰の印字物を基にコピーされたものであるか一目で判ることになり、信頼性の高い機密保持が行われる。
【０００６】
図２は、本発明の第２の実施の形態に係る画像処理装置を示すブロック図である。この第２の実施の形態では、暗証番号入力装置としてテンキーと表示ディスプレイを有する入力操作部２２を画像処理装置１０に接続したものである。画像処理装置１０は、入力操作部２２からの暗証番号入力信号を受けて、暗証番号に対応する個人情報を解読する番号情報解読手段である番号情報解読部４と、前記画像情報解読部２と、前記印字禁止部６と、番号情報解読部４で解読した個人情報と画像情報解読部２で解読した画像情報を合成して出力する第２の情報合成手段である第２の情報合成部５を備えている。
次に機密管理処理動作を説明する。自身の例えば４桁の暗証番号を入力操作部２２に入力する。入力操作部２２からの暗証番号出力信号は、画像処理装置１０の番号情報解読部４で解読され、個人情報山田が認識される。以下は図１に示す第１の実施の形態と同じ動作処理である。
図３は、本発明の第３の実施の形態に係る画像処理装置を示すブロック図である。この実施の形態は、前記の第１の実施の形態に対応しており、前記カードリーダ２から入力された使用者の個人情報をカード情報解読部１で解読し、第１の情報合成部３でカード情報解読部１で解読した個人情報と画像情報解読部２で解読した画像情報を合成して出力する。また、出力禁止部６は、画像情報解読部２からの画像情報の中に個人情報が存在する場合には、第１の情報合成部３の画像情報を外部に出力することを禁止する。
また、この第３の実施の形態では、カード情報解読部１で解読した個人情報を記憶するための個人情報記憶手段である個人情報記憶部７と、個人情報記憶部７に記憶された個人情報を表示する個人情報表示手段である個人情報表示部８を備えている。本実施の形態によれば、機密印字物２５のみならず、個人情報表示部８からも使用者を確認することができる。
【０００７】
図４は、本発明の第４の実施の形態に係る画像処理装置を示すブロック図である。この第４の実施の形態は、前記の第２の実施の形態に対応している。番号情報解読部４は、入力操作部２２の暗証番号入力信号から暗証番号に対応する個人情報を解読する。第２の情報合成部５は、番号情報解読部４で解読した個人情報と画像情報解読部２で解読した画像情報を合成して出力する。また、出力禁止部６は、画像情報解読部２からの画像情報の中に個人情報が存在する場合には、第１の情報合成部３の画像情報を外部に出力することを禁止する。
また、この第４の実施の形態では、番号情報解読部４で解読した個人情報を記憶するための個人情報記憶部７と、個人情報記憶部７に記憶された個人情報を表示する個人情報表示部８を備えている。本実施の形態によれば、機密印字物２５のみならず、個人情報表示部８からも使用者を確認することができる。
図５は、本発明の実施の形態に係る画像処理装置における機密印字物の再印字を禁止する処理の主要動作を説明するためのフローチャートである。図１に示すカードリーダ２１あるいは図２に示す入力操作部（暗証番号入力装置）２２により暗証番号を入力して使用者の確認を行う（ステップＳ１）。次に、原稿２４の読み込みを行い（ステップＳ２）、画像情報解読部２において、原稿２４に使用者判別情報の記載があるか否かが問われる、即ち、原稿２４の背景に個人情報が印字されているか判断する（ステップＳ３）。
もし、原稿２４の背景に個人情報が印字されている場合は（ステップＳ３でＹｅｓ）、機密印字物２５であると認識されるので、その場合は第１の情報合成部３または第２の情報合成部５から出力を中止し（ステップＳ４）、ステップステップＳ７に進める。また、ステップステップＳ３において、原稿２４の背景に個人情報の印字がない場合は（ステップＳ３でＮｏ）、原稿２４に基づいた印字処理を行い、背景に使用者判別の情報も記載し（ステップＳ５）、機密印字物２５を格納トレイに排出させ（ステップＳ６）、ステップステップＳ７に進める。ステップステップＳ７では、このステップステップＳ２からステップＳ６までの処理を原稿２４の読み込み終了まで（ステップＳ７でＮｏ）、繰り返す。
【０００８】
【発明の効果】
以上のように本発明によれば、機密印字物には画像情報の背景に個人情報が印字されることになり、印字に対応した特定された人間がその機密印字物を保持することで機密保持の信頼性を高めることができる。また、機密印字物を再印刷またはコピーしようとしてもできなくなって、機密保持の信頼性をさらに高めることができる。
【図面の簡単な説明】
【図１】本発明の第１の実施の形態に係る画像処理装置を示すブロック図である。
【図２】本発明の第２の実施の形態に係る画像処理装置を示すブロック図である。
【図３】本発明の第３の実施の形態に係る画像処理装置を示すブロック図である。
【図４】本発明の第４の実施の形態に係る画像処理装置を示すブロック図である。
【図５】本発明の実施の形態に係る画像処理装置における機密印字物の再印字を禁止する処理の主要動作を説明するためのフローチャートである。
【図６】（Ａ）は従来のナンバリング印字が行われた１部目の画像出力の説明図、（Ｂ）は従来のナンバリング印字が行われた２部目の画像出力の説明図である。
【符号の説明】
１  カード情報解読部（カード情報解読手段）、２  画像情報解読部（画像情報解読手段）、３  第１の情報合成部（第１の情報合成手段）、４  番号情報解読部（番号情報解読手段）、５  第２の情報合成部（第２の情報合成手段）、６出力禁止部（出力禁止手段）、７  個人情報記憶部（個人情報記憶手段）、８個人情報表示部（個人情報表示手段）、１０  画像処理装置、２１  カードリーダ、２２  入力操作部（暗証番号入力装置）、２３  カード、２４  原稿、２５  機密印字物。
【図１】
0003940254.tif 000002
【図２】
0003940254.tif 000003
【図３】
0003940254.tif 000004
【図４】
0003940254.tif 000005
【図５】
0003940254.tif 000006
【図６】
0003940254.tif 000007